(57)【特許請求の範囲】
【請求項１】
入力信号電圧に応じた出力電流を生成して出力するｇｍセルと、
前記ｇｍセルの出力電流を電圧に変換するとともに、この変換利得を調整する電流電圧変換回路とを備え、
前記電流電圧変換回路は、
演算増幅器と、
前記演算増幅器の反転入力端子と出力端子との間に接続されて複数のタップを有する抵抗アレイと、
前記ｇｍセルの出力端子と前記複数のタップとの間に接続されて前記ｇｍセルの出力端子と前記複数のタップのうちの１つと選択的な接続を行うＭＯＳスイッチアレイとを有し、
かつ、前記演算増幅器の非反転入力端子には基準電圧が印加されるようになっていることを特徴とする可変利得増幅器。
【発明の詳細な説明】
【０００１】
【発明の属する技術分野】
本発明は、可変利得増幅器の改良に関し、特に、動作周波数帯域が広い上に利得調整範囲が広い可変利得増幅器に関する。
【０００２】
【従来の技術】
従来、演算増幅器（オペアンプ）を用いた反転増幅器または非反転増幅器は、直線性が良い上に設計が容易であることから広く利用されている。
図３は、従来の非反転増幅器を利用した可変利得増幅器の一例であり、例えば演算増幅器１と２つの可変抵抗器２、３とから構成されている。
【０００３】
この可変利得増幅器の利得−周波数特性は、図４に示すように、利得と周波数帯域の積が、使用する演算増幅器の利得帯域幅積に制限されるという特徴を持っている。
【０００４】
【発明が解決しようとする課題】
例えば、図３に示す可変利得増幅器では、図４に示すように利得と周波数帯域幅の積は、使用する演算増幅器の利得帯域幅積に制限される。このため、例えば４０ｄＢの利得を得るには、必要な利得帯域幅積の１００倍の周波数帯域幅を持つ演算増幅器が必要であり、演算増幅器の消費電力を増加させる原因になる。
【０００５】
また、例えば４０ｄＢの利得制御範囲を持たせた場合に、利得を変化させると、図３の可変利得増幅器の周波数帯域幅は１００倍に変化するので、利得を小さくしたときには、無駄に広い周波数帯域を持つことになる。
また、図３に示す可変利得増幅器の利得の上限は、演算増幅器の直流電圧利得によって制限されるため、動作周波数帯域が広く利得調整範囲の広い可変利得増幅器を実現することは難しい。
【０００６】
さらに、演算増幅器の出力から入力への帰還量は利得により大きく変化するので、広帯域の場合に特に安定性に十分に注意する必要がある。
そこで、本発明の目的は、上記の点に鑑み、動作周波数が広く利得調整範囲が広い上に、低消費電力である可変利得増幅器を提供することを目的とする。
【０００７】
【課題を解決するための手段】
上記課題を解決して本発明の目的を達成するために、請求項１に記載の発明は、以下のように構成した。
すなわち、請求項１に記載の発明は、入力信号電圧に応じた出力電流を生成して出力するｇｍセルと、前記ｇｍセルの出力電流を電圧に変換するとともに、この変換利得を調整する電流電圧変換回路とを備え、前記電流電圧変換回路は、演算増幅器と、前記演算増幅器の反転入力端子と出力端子との間に接続されて複数のタップを有する抵抗アレイと、前記ｇｍセルの出力端子と前記複数のタップとの間に接続されて前記ｇｍセルの出力端子と前記複数のタップのうちの１つと選択的な接続を行うＭＯＳスイッチアレイとを有し、かつ、前記演算増幅器の非反転入力端子には基準電圧が印加されるようになっていることを特徴とする。
【０００９】
このように本発明によれば、入力信号電圧に応じて出力電流が変化するｇｍセルと、電流電圧変換回路とを組み合わせるようにしたので、広帯域でかつ高利得の増幅器を実現できる。
また、本発明において、電流電圧変換回路を演算増幅器や可変抵抗器で構成する場合には、その電流電圧変換回路の閉ループの利得は可変抵抗器の抵抗値によらずに一定となる。従って、可変抵抗器の抵抗値を調整して全体の利得を調整しても、ループ利得の変化がなくて周波数帯域の変化がない。このため、演算増幅器は、可変利得増幅器として必要な周波数帯域と同程度の利得帯域幅積を持つものを使用すれば良い。
【００１０】
また、本発明において、電流電圧変換回路を演算増幅器や可変抵抗器で構成する場合には、全体の利得の上限は、演算増幅器の直流電圧利得により直接影響を受けないので、特に、動作周波数帯域が広く利得調整範囲の広い可変利得増幅器を低消費電力で実現するのに適している。
さらに、本発明において、電流電圧変換回路を演算増幅器と、抵抗アレイと、スイッチアレイとで構成するような場合には、利得調整を高精度で行うことができる。
【００１１】
【発明の実施の形態】
以下、本発明の可変利得増幅器はの第１実施形態について、図１を参照して説明する。
本発明の可変利得増幅器の第１実施形態は、図１に示すように、ｇｍセル（トランスコンダクタ回路）１１と、電流電圧変換回路１２とを備えている。
【００１２】
ｇｍセル１１は、入力信号電圧Ｖｉが入力端子１３に供給されると、その電圧に応じた出力電流を生成して出力する回路である。このｇｍセル１１は、その入力側が入力端子１３に接続され、その出力側が電流電圧変換回路１２を構成する演算増幅器１４の−入力端子と、可変抵抗器１５の一端とにそれぞれ接続されている。
【００１３】
電流電圧変換回路１２は、ｇｍセル１１の出力電流を電圧に変換するとともに、この変換利得を調整する機能を備えた回路である。このため、電流電圧変換回路１２は、演算増幅器１４と、任意な抵抗値を設定自在な可変抵抗器１５と、を備えている。
さらに詳述すると、演算増幅器１４の＋入力端子は入力端子１６に接続され、その入力端子１６に供給される基準電圧Ｖｇが印加されるようになっている。演算増幅器１４の−入力端子と出力端子との間には可変抵抗器１５が接続され、ループ回路を形成している。また、演算増幅器１４の出力端子は、出力電圧Ｖｏを取り出すための出力端子１７に接続されている。
【００１４】
このような構成からなる第１実施形態では、入力端子１３に供給される入力信号電圧Ｖｉがｇｍセル１１に印加されると、ｇｍセル１１は、その電圧に応じた出力電流を生成して出力する。この出力電流は、可変抵抗器１５に流れるので、その抵抗値に応じた電圧が可変抵抗器１５の両端に生成され、この生成電圧が出力端子１７から取り出される。その生成電圧は、可変抵抗器１５の抵抗値を調整することにより任意に調整できる。
【００１５】
以上説明したように、第１実施形態では、電流電圧変換回路１２を演算増幅器１４と可変抵抗器１５で構成するようにしたので、その電流電圧変換回路１２の閉ループの利得は、可変抵抗器１５の抵抗値によらずに一定（０ｄＢ、すなわち−１倍）となる。
従って、可変抵抗器１５の抵抗値を調整して可変利得増幅器の全体の利得を調整しても、電流電圧変換回路１２のループ利得の変化がなくて周波数帯域の変化がない。このため、第１実施形態は、広い利得調整範囲において広帯域の可変利得増幅器として好適である。
【００１６】
次に、本発明の可変利得増幅器はの第２実施形態について、図２を参照して説明する。
本発明の可変利得増幅器の第２実施形態は、図２に示すように、ｇｍセル（トランスコンダクタ回路）１１と、電流電圧変換回路１２Ａとを備えている。
この第２実施形態は、図１の第１実施形態の電流電圧変換回路１２を、図２に示すように、電流電圧変換回路１２Ａに置き換えたものである。従って、以下の説明では、電流電圧変換回路１２Ａの構成についてのみ説明する。
【００１７】
この電流電圧変換回路１２Ａは、演算増幅器１４と、抵抗アレイ２１と、ＭＯＳトランジスタからなるＭＯＳスイッチアレイ２２とからなる。
さらに詳述すると、演算増幅器１４の＋入力端子は入力端子１６に接続され、その入力端子１６に供給される基準電圧Ｖｇが印加されるようになっている。演算増幅器１４の−入力端子と出力端子との間には抵抗アレイ２１が接続され、ループ回路を形成している。また、演算増幅器１４の出力端子は、出力電圧Ｖｏを取り出すための出力端子１７に接続されている。
【００１８】
抵抗アレイ２１は、図２に示すように、複数のタップを有している。また、ＭＯＳスイッチアレイ２２は、複数のＭＯＳトランジスタ２３からなる。この各ＭＯＳトランジスタ２３の各一端は共通接続され、その共通接続部はｇｍセル１１の出力側に接続されている。さらに、ＭＯＳトランジスタ２３の各他端は、抵抗アレイ２１の対応する各タップにそれぞれ接続されている。
【００１９】
なお、ＭＯＳスイッチアレイ２２は、オンオフにより抵抗アレイ２１のタップを選択できる構成であれば、その構成は問わない。
このような構成からなる第２実施形態では、入力端子１２に供給される入力信号電圧Ｖｉがｇｍセル１１に印加されると、ｇｍセル１１は、その電圧に応じた出力電流を生成して出力する。
【００２０】
ＭＯＳスイッチアレイ２２では、複数のＭＯＳトランジスタ２３のうちの１つが必要な利得に応じてオンしている。このため、ｇｍセル１１の出力電流は、抵抗アレイ２１のうちの一部に流れて電圧が生成され、その生成電圧が出力端子１７から取り出される。
以上説明したように、第２実施形態では、電流電圧変換回路１２Ａを演算増幅器１４と、抵抗アレイ２１と、ＭＯＳスイッチアレイ２２とから構成するようにしたので、電流電圧変換回路１２Ａの閉ループのループ利得は、ＭＯＳスイッチアレイ２２を構成するＭＯＳトランジスタ２３のオンオフにかかわらず一定となる。
【００２１】
このため、第２実施形態では、第１実施形態と同様に、広い利得調整範囲において広帯域の可変利得増幅器として適している。さらに、ＭＯＳスイッチアレイ２２のオンオフ制御による抵抗アレイ２１での利得の調整に際し、ＭＯＳスイッチアレイ２２のＭＯＳトランジスタのオン抵抗の影響を受けないので、高精度の利得調整を実現できる。
【００２２】
【発明の効果】
以上説明したように、本発明によれば、入力信号電圧に応じて出力電流が変化するｇｍセルと、電流電圧変換回路とを組み合わせるようにしたので、広帯域でかつ高利得の増幅器を実現できる。
【図面の簡単な説明】
【図１】本発明の可変利得増幅器の第１実施形態の構成を示す回路図である。
【図２】本発明の可変利得増幅器の第２実施形態の構成を示す回路図である。
【図３】従来の可変利得増幅器の回路図である。
【図４】その利得−周波数特性の一例を示す図である。
【符号の簡単な説明】
１１  ｇｍセル
１２、１２Ａ  電流電圧変換回路
１４  演算増幅器
１５  可変抵抗器
２１  抵抗アレイ
２２  ＭＯＳスイッチアレイ
【図１】
0004708604.tif 000002
【図２】
0004708604.tif 000003
【図３】
0004708604.tif 000004
【図４】
0004708604.tif 000005